(57)【要約】【課題】  一連の操作によって増幅器の利得を複数段階に変更することとＡＧＣ機能を動作させるか否かとを制御し、かつ、使用者が違和感を感じることがない増幅装置、通信端末装置及び音量調節方法を提供する。【解決手段】  例えば、出力される音量が小から大に「１」〜「５」及び「でか」の６段階設定可能であって、設定された音量レベルが「５」から「でか」に変更される場合、ＡＧＣ機能を動作させ（ステップＳ１１ｆ）、設定された音量レベルが「でか」から「５」に変更される場合、ＡＧＣ機能を非動作させる（ステップＳ１１ｋ）。そして、設定された音量レベルが「５」から「１」の間で変更される場合、ＡＧＣ機能は非動作のまま、増幅器の利得を変更させる（ステップＳ１１ｈ及びＳ１１ｊ）。【選択図】  図５
2006211169.tif 000002
【特許請求の範囲】
【請求項１】
音声信号にその音声信号の音量に依存した利得の増幅または減衰を施す自動利得制御手段と、
複数の段階の利得の中のいずれか１つの利得が指定され、前記音声信号に対してその指定された利得の増幅を施す複数段階増幅手段と、
前記複数段階増幅手段に前記複数の段階の利得の中のいずれか１つの利得の指定をしてその指定された利得の増幅を前記音声信号に対して施させ、または、前記自動利得制御手段に前記利得の増幅または減衰を前記音声信号に施させて、前記自動利得制御手段によって前記利得の増幅または減衰が施された音声信号に対して前記複数段階増幅手段に前記複数の段階の利得の中の最大の利得の増幅を施させる音量制御手段と
を有することを特徴とする増幅装置。
【請求項２】
前記自動利得制御手段は、前記音声信号の音量が所定値以下の場合、その音声信号に所定の利得の増幅を施し、前記音声信号の音量がその所定値以上の場合、前記入力音声信号にその所定値に前記所定の利得を加えた音量となる増幅または減衰を施す
ことを特徴とする請求項１に記載の増幅装置。
【請求項３】
文字及び／または図形を表示する表示装置を更に有し、
前記音量制御手段は、選択された前記複数の段階の利得の段階数に１を加えた段階数の段階の中の１つの段階を識別する情報を前記表示手段に表示する
ことを特徴とする請求項１に記載の増幅装置。
【請求項４】
マイクロフォンから出力されたアナログ音声信号を増幅する送話音声増幅手段と、
前記送話音声増幅手段によって増幅されたアナログ音声信号をディジタル音声信号に変換するディジタル変換手段と、
前記ディジタル変換手段によって変換されたディジタル音声信号を符号化する符号化手段と、
前記符号化手段によって符号化されたディジタル音声信号を送信する送信手段と、
前記音声信号が符号化されたディジタル音声信号を受信する受信手段と、
前記受信手段によって受信されたディジタル音声信号を復号する復号手段と、
前記複号手段によって複号されたディジタル音声信号にその信号の音量に依存した音量の増加または削減を施す自動利得制御手段と、
前記自動利得制御手段によって音量の増加または削減が施されたディジタル音声信号をアナログ音声信号に変換するアナログ変換手段と、
複数の段階の利得の中のいずれか１つの利得が指定され、前記アナログ変換手段によって変換されたアナログ音声信号にその指定された利得の増幅を施す受話音声増幅手段と、
前記受話音声増幅手段によって増幅が施されたアナログ音声信号から音声を発生するスピーカと、
前記スピーカから発生される音声の音量を制御する制御手段と、
少なくとも２個のキースイッチとからなり、操作されたキースイッチの識別子を送信する入力手段と、
文字及び／または図形を表示する表示手段と
を具備し、
前記制御手段は、前記自動利得制御手段に前記利得の増幅または減衰を施させず、前記受話音声増幅手段に前記複数の段階の利得の中のいずれか１つの利得の指定をしてその指定された利得の増幅を施させ、または、前記自動利得制御手段に前記利得の増幅または減衰を施させ、前記受話音声増幅手段に前記複数の段階の利得の中の最大の利得の増幅を施させることによって前記複数の段階の利得の段階数に１を加えた段階数の音量レベルを定め、前記入力手段から送信された第１のキースイッチの識別子を受信すると上の前記音量レベルを選択し、前記入力手段から送信された第２のキースイッチの識別子を受信すると下の前記音量レベルを選択し、その選択された音量レベルを識別する文字及び／または図形を前記表示手段に表示する
ことを特徴とする通信端末装置。
【請求項５】
前記第１のキースイッチは上向き矢印キースイッチであり、前記第２のキースイッチは下向き矢印キースイッチである
ことを特徴とする請求項４に記載の通信端末装置。
【請求項６】
第１の識別子を受信すると上の音量レベルに変更し、第２の識別子を受信すると下の前記音量レベルに変更する音量調節方法であって、
前記音量レベルを最大の音量レベルに変更した場合、音量の自動利得制御を行い、かつ、最大の利得で増幅し、前記音量レベルを前記最大の音量レベル以外に変更した場合、前記音量の自動利得制御を行わず、かつ、前記変更された音量レベルに対応する利得で増幅する
ことを特徴とする音量調節方法。
【発明の詳細な説明】
【技術分野】
【０００１】
本発明は、増幅装置、通信端末装置及び音量調節方法に係り、特に、ＡＧＣ（Automatic Gain Control、自動利得制御）機能を含む音量調節処理に関する。
【背景技術】
【０００２】
移動通信端末装置を始めとして、固定電話装置、音楽再生装置などの音声を出力する装置が用いられている。これらの装置が出力する音声の音量は、使用者の操作によって大小が調整され、更に、ＡＧＣ機能によって入力音声の音量に従った調整が行われることが知られている。
【０００３】
例えば、移動通信端末装置は、通話を行う場所が静かな室内であったり、騒音が大きい、例えば、駅構内であったりするため、受話音量を適切に調整することが特に必要である。そこで、通話中にスイッチ操作で増幅器の利得を大小２段階に変更し、また、ＡＧＣ機能を動作させるか否かを変更する処理が知られている（例えば、特許文献１参照。）。
【特許文献１】特開平９−１６８０４６号公報（第１１頁、図３）
【発明の開示】
【発明が解決しようとする課題】
【０００４】
しかしながら、上述した特許文献１に開示されている手法では、一連の操作によって増幅器の利得を複数段階に変更することとＡＧＣ機能を動作させるか否かとを制御し、かつ、使用者が違和感を感じることがない音量調整処理がなされていない問題点があった。
【０００５】
本発明は上記問題点を解決するためになされたもので、一連の操作によって増幅器の利得を複数段階に変更することとＡＧＣ機能を動作させるか否かとを制御し、かつ、使用者が違和感を感じることがない増幅装置、通信端末装置及び音量調節方法を提供することを目的とする。
【課題を解決するための手段】
【０００６】
上記目的を達成するために、本発明の増幅装置は、音声信号にその音声信号の音量に依存した利得の増幅または減衰を施す自動利得制御手段と、複数の段階の利得の中のいずれか１つの利得が指定され、前記音声信号に対してその指定された利得の増幅を施す複数段階増幅手段と、前記複数段階増幅手段に前記複数の段階の利得の中のいずれか１つの利得の指定をしてその指定された利得の増幅を前記音声信号に対して施させ、または、前記自動利得制御手段に前記利得の増幅または減衰を前記音声信号に施させて、前記自動利得制御手段によって前記利得の増幅または減衰が施された音声信号に対して前記複数段階増幅手段に前記複数の段階の利得の中の最大の利得の増幅を施させる音量制御手段とを有することを特徴とする。
【発明の効果】
【０００７】
本発明によれば、一連の操作によって増幅器の利得を複数段階に変更することとＡＧＣ機能を動作させるか否かとを制御し、かつ、使用者が違和感を感じることがない増幅装置、通信端末装置及び音量調節方法を提供することができる。
【発明を実施するための最良の形態】
【０００８】
以下に、本発明による増幅装置、通信端末装置及び音量調節方法の実施の形態を、図面を参照して説明する。
【０００９】
図１は、本発明の実施形態に係る増幅装置、通信端末装置及び音量調節方法が適用された折畳み型移動通信端末装置の、上下筐体の折畳みを開いた時の正面の外観を示す。この移動通信端末装置は、上筐体１と下筐体２とが、ヒンジ部３によって回動自在に連結されてなる。
【００１０】
上筐体１の内面には、受話に用いられるスピーカ１４ａと、使用者に操作を促す表示や、使用者が操作した内容の表示や、カーソル位置や、制御された音量の段階や、装置の動作状態の表示などに用いられるバックライト付きのＬＣＤ（Liquid Crystal Display）からなる表示部１５とが設置されている。
【００１１】
また、下筐体２の内面には、送話に用いられるマイクロフォン１４ｂが設置されている。下筐体２の内面と側面には、キースイッチからなる入力装置１６が設けられている。また、下筐体２の外面には、電波の送受に用いられるアンテナ（図示せず）が設置されている。
【００１２】
入力装置１６は、下筐体２の内面に設置され、各機能での確定や選択を指示するために用いられるワープ中央キー１６ａと、ワープ中央キー１６ａに隣接してワープ中央キー１６ａを取り囲んで設置され、表示部１５上のカーソル位置の移動指示や、音量の調整などに用いられる、上、下、左、右向きの４つの矢印キーであるワープ十字キー１６ｂとを含む。
【００１３】
更に、入力装置１６は、英数字や文字、記号の入力などに用いられる数字キーと、移動通信端末装置の電源の投入及び切断などの動作指示の入力に用いられる複数の機能キーと、更に、下筐体２の側面に設置された複数の側面キー１６ｃとを含んでいる。
【００１４】
図２は、この移動通信端末装置の構成を示すブロック図である。この移動通信端末装置は、装置全体の制御を行う制御部１１と、基地局（図示せず）との間で電波の送受信を行うアンテナ１２ａと、通信部１２ｂと、送受信部１３と、スピーカ１４ａと、マイクロフォン１４ｂと、通話部１４ｃと、表示部１５と、入力装置１６とからなる。
【００１５】
図３は、通話部１４ｃの詳細な構成を示すブロック図である。通話部１４ｃは、送受信部１３と接続される音声復号部１４ｄと、制御部１１と接続されるＡＧＣ部１４ｅと、ＤＡ変換器１４ｆと、制御部１１及びスピーカ１４ａと接続される増幅器１４ｇと、マイクロフォン１４ｂと接続される増幅器１４ｈと、ＡＤ変換器１４ｉと、送受信部１３と接続される音声符号部１４ｊとからなる。
【００１６】
上記のように構成された、本発明の実施形態に係る移動通信端末装置の各部の動作を、図２〜図６を参照して説明する。まず、通信部１２ｂは、アンテナ１２ａが受信した高周波信号を送受信部１３へ出力し、また、送受信部１３から出力される高周波信号をアンテナ１２ａより送信する。
【００１７】
送受信部１３は、通信部１２ｂからの高周波信号を増幅、周波数変換及び復調し、それによって得られたディジタル音声信号を通話部１４ｃへ、また、制御信号を制御部１１に送る。更には、通話部１４ｃから出力されるディジタル音声信号、及び制御部１１から出力される制御信号を変調、周波数変換及び増幅し、高周波信号を得て、それを通信部１２ｂに送る。
【００１８】
次に、通話部１４ｃの動作を、図３を参照して説明する。まず、音声復号部１４ｄは、送受信部１３から出力されたディジタル音声信号を復号する。ＡＧＣ部１４ｅは、音声復号部１４ｄによって復号されたディジタル音声信号の音量を調節する。ＡＧＣ部１４ｅの動作の詳細は、後述する。ＤＡ変換器１４ｆは、ＡＧＣ部１４ｅによって音量の調整がされたディジタル音声信号をアナログ音声信号に変換する。
【００１９】
増幅器１４ｇは、ＤＡ変換器１４ｆによって変換されたアナログ音声信号を、制御部１１から送信された利得の段階の指示に従って増幅する。ここで、指示される利得（単位ｄＢ。）の段階が１段階異なる毎に、増幅器１４ｇが増幅する利得の差は、一定値Ｙ０である。そして、増幅された信号はスピーカ１４ａに出力されて音声を発生させる。
【００２０】
また、増幅器１４ｈは、マイクロフォン１４ｂから出力されたアナログ音声信号を増幅する。ＡＤ変換器１４ｉは、増幅器１４ｈによって増幅されたアナログ音声信号をディジタル音声信号に変換する。音声符号部１４ｊは、ＡＤ変換器１４ｉによって変換されたディジタル音声信号を符号化する。符号化されたディジタル音声信号は、送受信部１３に出力される。
【００２１】
次に、表示部１５の動作を説明する。表示部１５は、制御部１１に制御されることで、文字・数字や画像データの表示動作を行い、表示されているデータは、入力装置１６からの入力操作や着信信号に応答して制御部１１からの指示を受けることで切換わる。
【００２２】
入力装置１６は、通信相手の電話番号などを指定するための数字キーと複数の機能キーを含むキーからなる。そして、入力装置１６のキーが操作されると、そのキーの識別子が制御部１１に通知され、制御部１１によって、表示部１５に文字として表示され、または、制御が行われる。
【００２３】
次に、ＡＧＣ部１４ｅの動作を図４を参照して説明する。ＡＧＣ部１４ｅの動作は、制御部１１によってＡＧＣ機能の非動作設定が指示された場合と、ＡＧＣ機能の動作設定が指示された場合とで異なる。まず、ＡＧＣ機能の非動作設定がされた場合、ＡＧＣ部１４ｅは、入力されたディジタル音声信号を、音量（単位はｄＢ。）を変更することなく出力する。
【００２４】
即ち、ＡＧＣ部１４ｅによって出力されるディジタル音声信号は、入力されたディジタル音声信号に等しい。ただし、入力されたディジタル音声信号の音量（Ｘ）が所定の値（Ｘ１）を超えると、出力されるディジタル音声信号に歪が生じて、出力されるディジタル音声信号の音量（Ｙ）は、飽和しつつ所定の値Ｙ１に漸近する。
【００２５】
一方、ＡＧＣ機能の動作設定がされた場合、ＡＧＣ部１４ｅは、入力されたディジタル音声信号の音量（Ｘ）に一定値（Ｙ２）の利得を加えた増幅をして出力する。ただし、その利得を加えたディジタル音声信号の音量が上記Ｙ１を超える場合（Ｘ＋Ｙ２＞Ｙ１。なお、Ｘ２＝Ｙ１−Ｙ２＜Ｘ１である。）、ＡＧＣ部１４ｅは、出力されるディジタル音声信号の音量（Ｙ）をＹ１とする。
【００２６】
即ち、入力されたディジタル音声信号の音量（Ｘ）がＸ２とＹ２を加えた値以下である場合（Ｘ≦Ｘ２＋Ｙ２。）、入力されたディジタル音声信号の音量（Ｘ）に利得を加える増幅をし、一方、入力されたディジタル音声信号の音量（Ｘ）がＸ２とＹ２を加えた値を超える場合（Ｘ＞Ｘ２＋Ｙ２。）、入力されたディジタル音声信号の音量（Ｘ）に利得を減ずる減衰をして出力する。
【００２７】
この動作によって、ＡＧＣ部１４ｅによって出力されるディジタル音声信号の音量（Ｙ）は、入力されたディジタル音声信号の音量（Ｘ）の１次関数と定数との組合せとなり、出力されるディジタル音声信号に歪が生じることはない。なお、上記一定の利得値Ｙ２は、指示される利得が１段階異なる毎に増幅器１４ｇが増幅する利得の差であるＹ０より大きい（Ｙ２＞Ｙ０）。
【００２８】
次に、移動通信端末装置が通話中の、制御部１１の受話音声の調整制御動作を説明する。図５は、制御部１１の受話音声の調整制御動作のフローチャートを示す。制御部１１の受話音声の調整制御動作は、通話中に、制御部１１が、入力装置１６から送信された、音量を上げる調整を指示するワープ十字キー１６ｂの上向きキー、または、音量を下げる調整を指示するワープ十字キー１６ｂの下向きキーが操作されたことを示す識別子を受信することによって動作を開始する（ステップＳ１１ａ）。そして、制御部１１は、表示部１５に調整された音量を示す音量調整表示を表示する（ステップＳ１１ｂ）。
【００２９】
図６は、音量調整表示の一例を示す。音量調整表示１５ａは、音量レベル１５ｂと、音量バー１５ｃと、操作ガイド１５ｄとからなる。音量レベル１５ｂは、上から下へ、「でか」、「５」、「４」、「３」、「２」及び「１」の各文字列が表示されてなる。この表示によって、受話音声の音量は６段階あり、上に表示された音量レベル１５ｂが大きい音量を示す音量レベル１５ｂであり、下に表示された音量レベル１５ｂが小さい音量を示す音量レベル１５ｂであることが容易に識別される。なお、この例では、音量レベル１５ｂは６段階であるとしたが、これに限るものではない。３段階以上であれば、任意の段階で良い。
【００３０】
音量バー１５ｃは、音量レベル１５ｂの６つの文字列の表示の右に、その音量レベル１５ｂと対応して表示された矩形であり、その矩形の縦方向の長さは一定であり、横方向の長さは音量レベル１５ｂに対応する音量が大なる程より長く、その音量が小なる程より短い。そして、音量バー１５ｃは、設定されている音量レベル１５ｂが識別されるように表示される。例えば、設定されている音量レベル１５ｂと対応して表示された矩形と、その下に表示された矩形とは、それら以外の矩形とは異なる表示がされる。
【００３１】
即ち、音量レベル１５ｂ「１」に対応する音量の段階が設定されていれば、「１」の音量レベル１５ｂに対応する音量バー１５ｃのみが他の音量バー１５ｃとは異なる表示がされる。また、音量レベル１５ｂ「３」に対応する音量の段階が設定されていれば、図６に示すように、「１」、「２」及び「３」の音量レベル１５ｂに対応する音量バー１５ｃが、それら以外の音量バー１５ｃとは異なる表示がされる。
【００３２】
異なる表示とは、例えば、異なる色による表示であるが、これに限るものではない。例えば、点滅の有無、点滅の間隔の相違、ハッチングの有無などであっても良い。また、矩形の周囲の表示を異なるものとしても良い。例えば、矩形の周囲の表示を点滅させるなどであっても良い。
【００３３】
また、この異なる表示は、設定されている音量の段階が音量レベル１５ｂがいずれに対応するかが認識できるものであれば良く、例えば、設定されている音量の段階に対応する音量レベル１５ｂに対応して表示された矩形と、その上に表示された矩形とが、それら以外の矩形とは異なる表示がされても良い。また、設定されている音量の段階に対応する音量レベル１５ｂと対応して表示された矩形のみが、それ以外の矩形とは異なる表示がされても良い。
【００３４】
操作ガイド１５ｄは、音量バー１５ｃの上部に「△  ＶＯＬ  ＋」なる文字列が表示され、また、音量バー１５ｃの下部に「▽  ＶＯＬ  −」なる文字列が表示されてなる。これらの操作ガイド１５ｄの表示により、より上部に表示された音量レベル１５ｂと、その音量レベル１５ｂに対応する音量バー１５ｃとはより大きい音量を示し、より下部に表示された音量レベル１５ｂと、その音量レベル１５ｂに対応する音量バー１５ｃとはより小さい音量を示すことが容易に識別される。
【００３５】
更に、これらの操作ガイド１５ｄの表示により、後述するように、上方向のキー操作または上部に配列されたキーの操作によって音量はより大きくなり、下方向のキー操作または下部に配列されたキーの操作によって音量はより小さくなることが容易に識別される。
【００３６】
図５に示すフローチャートを参照した制御部１１の受話音声の調整制御動作の説明に戻る。続いて、制御部１１は、入力装置１６から送信された、音量の調整を指示するワープ十字キー１６ｂの上向きキーまたは下向きキーが操作されたことを示す識別子を受信し（ステップＳ１１ｃ）、操作されたキーが上向きキーであって、音量上げを指示するものか、下向きキーであって、音量下げを指示するものかを調べる（ステップＳ１１ｄ）。
【００３７】
なお、以上の動作では、入力装置１６から送信された音量の調整を指示するワープ十字キー１６ｂの上向きキーまたは下向きキーが操作されたことを示す識別子は、制御部１１の受話音声の調整制御動作が開始される契機となり、上記調整制御動作を開始させ、更に、音量調整表示１５ａを表示させるとしたが、この識別子によって音量の調整は行われないとした。しかし、これに限るものではなく、この識別子によって、以下に示す音量の調整が行われても良い。
【００３８】
操作されたキーが音量上げを指示するキーである場合、制御部１１は、以下に説明するように音量を上げる制御を行う。即ち、まず、制御部１１内に記憶された現在設定されている音量の段階を調べる（ステップＳ１１ｅ）。そして、現在設定されている音量の段階が音量レベル１５ｂ「でか」に対応する場合、現在設定されている音量の段階は最高であって、音量を上げることができないので、ステップＳ１１ｃの音量の調整を指示するキーが操作されたことを示す識別子を受信する動作に移る。
【００３９】
一方、現在設定されている音量の段階が音量レベル１５ｂ「５」に対応する場合、制御部１１は、音量の段階を音量レベル１５ｂ「でか」に対応させる変更をするため、ＡＧＣ部１４ｅにＡＧＣ機能動作の指示を送信する（ステップＳ１１ｆ）。そして、変更された音量の段階が設定されていることを示す音量調整表示１５ａを表示部１５に表示して（ステップＳ１１ｇ）、ステップＳ１１ｃの音量の調整を指示するキーが操作されたことを示す識別子を受信する動作に移る。
【００４０】
ステップＳ１１ｅで、現在設定されている音量の段階が音量レベル１５ｂ「１」〜「４」に対応する場合、音量の段階を１段階上げる変更をするため、増幅器１４ｇに利得を１段階上げた増幅の指示を送信する（ステップＳ１１ｈ）。そして、ステップＳ１１ｇの変更された音量の段階が設定されていることを示す音量調整表示１５ａを表示部１５に表示する以降の動作を行う。
【００４１】
ステップＳ１１ｄで、操作されたキーが音量下げを指示するキーである場合、制御部１１は、以下に説明するように音量を下げる制御を行う。即ち、まず、制御部１１内に記憶された現在設定されている音量の段階を調べる（ステップＳ１１ｉ）。そして、現在設定されている音量の段階が音量レベル１５ｂ「１」に対応する場合、現在設定されている音量の段階は最低であって、音量を下げることができないので、ステップＳ１１ｃの音量の調整を指示するキーが操作されたことを示す識別子を受信する動作に移る。
【００４２】
一方、現在設定されている音量の段階が音量レベル１５ｂ「２」〜「５」に対応する場合、制御部１１は、音量の段階を１段階下げる変更をするため、増幅器１４ｇに利得を１段階下げた増幅の指示を送信する（ステップＳ１１ｊ）。そして、ステップＳ１１ｇの変更された音量の段階が設定されていることを示す音量調整表示１５ａを表示部１５に表示する以降の動作を行う。
【００４３】
ステップＳ１１ｉで、現在設定されている音量の段階が音量レベル１５ｂ「でか」に対応する場合、制御部１１は、音量の段階を１段階下げる変更をするため、ＡＧＣ部１４ｅにＡＧＣ機能非動作の指示を送信する（ステップＳ１１ｋ）。そして、ステップＳ１１ｇの変更された音量の段階が設定されていることを示す音量調整表示１５ａを表示部１５に表示する以降の動作を行う。
【００４４】
上記の制御部１１の受話音声の調整制御動作によって、新たに設定された音量の段階が音量レベル１５ｂ「でか」に対応する場合、ＡＧＣ部１４ｅはＡＧＣ機能を動作し、その音量の段階が音量レベル１５ｂ「１」〜「５」に対応する場合、ＡＧＣ部１４ｅはＡＧＣ機能を非動作とする。また、新たに設定された音量の段階が音量レベル１５ｂ「１」〜「５」に対応する場合、その段階が上がるに従って、増幅器１４ｇは大きな利得の増幅を行う。また、その音量の段階が音量レベル１５ｂ「でか」に対応する場合、増幅器１４ｇは音量の段階が音量レベル１５ｂ「５」に対応する場合と同じ利得の増幅を行う。
【００４５】
これらの処理によって、制御部１１は、増幅器１４ｇが増幅する利得の段階数に１を加えた段階の数の音量の段階を定め、音量の調整を指示するワープ十字キー１６ｂの上向きキーまたは下向きキーが操作されるに従って、受話音声の音量は上がりまたは下がることになり、使い易い受話音声の調整が可能となる。
【００４６】
制御部１１の受話音声の調整制御動作は、ステップＳ１１ｃで、所定時間経過まで音量の調整を指示するワープ十字キー１６ｂの上向きキーまたは下向きキーが操作されたことを示す識別子を受信されない場合、動作を終了する（図示せず）。
【００４７】
以上の説明では、音量の調整を指示するキーは、音量を上げる調整にはワープ十字キー１６ｂの上向きキーであり、音量を下げる調整にはワープ十字キー１６ｂの下向きキーであるとしたが、これに限るものではない。例えば、音量を上げる調整をするキーは側面キー１６ｃの１つであり、音量を下げる調整をするキーは側面キー１６ｃの１つであって、上下筐体１、２が開状態にある時に、上記音量を上げる調整をするキーの下部に位置するキーとしても良い。
【００４８】
また、上記説明したキーの操作によって１段階づつ音量を調整することなく、入力装置１６の数字キーを操作することによって、離れた段階に音量を調整しても良い。例えば、図６に例示した音量調整表示１５ａが表示されている場合、数字キー「１」〜「５」が操作されることによって音量レベル１５ｂ「１」〜「５」に対応する音量の段階が選択され、数字キー「６」〜「９」が操作されることによって音量レベル１５ｂ「でか」に対応する音量の段階が選択されても良い。このように、離れた段階に音量を調整する際、制御部１１の受話音声の調整制御動作は、操作されたキーに依存して、ＡＧＣ部１４ｅ及び／または増幅器１４ｇに指示を送信する。
【００４９】
また、以上の説明では、設定された音量の段階は、表示部１５に音量調整表示１５ａが表示されることによって利用者に識別可能であるとしたが、これに限るものではない。例えば、音量レベル１５ｂをなす文字列の中で、設定された音量の段階に対応する文字列に対応する音声がスピーカ１４ａから出力されるとしても良い。また、所定の音声が設定された音量の段階が大きい音量に対応する場合、大なる音量で、また、その段階が小さい音量に対応する場合、小なる音量でスピーカ１４ａから出力されても良い。
【００５０】
更に、以上の説明では、設定された音量の段階が音量レベル１５ｂが最大に対応する場合、ＡＧＣ部１４ｅはＡＧＣ機能を動作して、増幅器１４ｇは最大の利得の増幅を行う。また、その段階が音量レベル１５ｂが最高に対応しない場合、ＡＧＣ部１４ｅはＡＧＣ機能を非動作として、増幅器１４ｇは、設定された音量の段階に応じた利得の増幅を行うとしたが、これに限るものではない。
【００５１】
例えば、設定された音量の段階が音量レベル１５ｂが最小に対応する場合、ＡＧＣ部１４ｅはＡＧＣ機能を動作させず、増幅器１４ｇは最小の利得の増幅を行う。また、設定された音量の段階が音量レベル１５ｂが最低に対応しない場合、ＡＧＣ部１４ｅはＡＧＣ機能を動作して、増幅器１４ｇは、設定された音量の段階に応じた利得の増幅を行うとしても良い。これによって、音量の調整を指示するワープ十字キー１６ｂの上向きキーまたは下向きキーが操作されるに従って、音量は上がりまたは下がることになり、使い易い受話音声の調整が可能となる。
【００５２】
また、以上の説明では、増幅器１４ｇが行う増幅の利得の段階（図６に示す例では、５段階。）の中で、最大の利得の段階の場合（図６に示す例では、音量レベル１５ｂ「５」に対応する。）に対してのみ、ＡＧＣ部１４ｅを動作させることとして、移動通信端末装置の受話音声の音量の段階の数は、上記増幅器１４ｇが行う増幅の利得の段階の数に１を加えたものとなるとしたが、これに限るものではない。
【００５３】
例えば、ＡＧＣ部１４ｅの動作設定がされた場合、ＡＧＣ部１４ｅが入力された音声信号の音量が小さい場合に加える一定の利得（図４に示す「Ｙ２」。）が、指示される利得の段階が１段階異なる毎に増幅器１４ｇが増幅する利得の差であるＹ０より小さい場合（Ｙ２＜Ｙ０）、増幅器１４ｇが行う増幅の利得の段階の全てに対してＡＧＣ部１４ｅを動作させ、また、動作させないことにより、移動通信端末装置の受話音声の音量の段階の数は、上記増幅器１４ｇが行う増幅の利得の段階の数の２倍であるとしても良い。これによって、音量の調整を指示するワープ十字キー１６ｂの上向きキーまたは下向きキーが操作されるに従って、音量は上がりまたは下がることになり、使い易い受話音声の調整が可能となる。
【００５４】
また、以上の説明では、制御部１１の受話音声の調整制御動作は、スピーカ１４ａから発生される受話音声に対して行われるとしたが、これに限るものではない。例えば、上下筐体１、２の背面に設置された第２のスピーカ（図示せず）から発生される受話音声に対して行われても良く、また、イヤホンマイク接続部（図示せず）を介して接続されたイヤホン（図示せず）から発生される受話音声に対して行われても良い。
【００５５】
更に、以上の説明では、ＡＧＣ部１４ｅが利得を制御する音声信号はディジタル音声信号であるとしたが、これに限るものではない。ＤＡ変換器１４ｆによってＤＡ変換されたアナログ音声信号の利得を制御するとしても良い。また、以上の説明では、増幅器１４ｇは、ＡＧＣ部１４ｅによって利得制御された音声信号を増幅するとしたが、これに限るものではない。ＡＧＣ部１４ｅは、増幅器１４ｇによって増幅された音声信号の利得制御を行うとしても良い。本発明は以上の構成に限定されるものではなく、種々の変形が可能である。
【図面の簡単な説明】
【００５６】
【図１】本発明の実施形態に係る折畳み型移動通信端末装置の上下筐体を開いた際の正面図。
【図２】本発明の実施形態に係る折畳み型移動通信端末装置の構成を示すブロック図。
【図３】本発明の実施形態に係る通話部の構成を示すブロック図。
【図４】本発明の実施形態に係るＡＧＣ部の特性の一例をグラフ形式で示す図。
【図５】本発明の実施形態に係る制御部の受話音声の調整制御動作のフローチャート。
【図６】本発明の実施形態に係る移動通信端末装置の表示部に表示される音量調整表示の一例を示す図。
【符号の説明】
【００５７】
１１  制御部
１３  送受信部
１４ａ  スピーカ
１４ｂ  マイクロフォン
１４ｃ  通話部
１４ｄ  音声復号部
１４ｅ  ＡＧＣ部
１４ｆ  ＤＡ変換器
１４ｇ、１４ｈ  増幅器
１４ｉ  ＡＤ変換器
１４ｊ  音声符号部
１５  表示部
１５ａ  音量調整表示
１５ｂ  音量レベル
１５ｃ  音量バー
１５ｄ  操作ガイド
１６  入力装置
１６ａ  ワープ十字キー
１６ｂ  ワープ中央キー
１６ｃ  側面キー
【図１】
2006211169.tif 000003
【図２】
2006211169.tif 000004
【図３】
2006211169.tif 000005
【図４】
2006211169.tif 000006
【図５】
2006211169.tif 000007
【図６】
2006211169.tif 000008